(57)【要約】【課題】  充分なマッサージ効果が得られるマッサージ機を提供すること。【解決手段】  マッサージ機１は、モータ１０と、軸方向Ｚの一端側の第１端部２０ａが上記モータに接続されている回転軸２０と、軸方向Ｚの他端側の第２端部２０ｂに複数設けられ、軸方向Ｚから見て回転軸２０を中心に等間隔に配置されて放射状に延びているとともに、回転軸２０に対して傾斜している結合軸３０と、結合軸３０の第２端部３０ｂを覆う複数のローラ４０と備える。そして回転軸２０が回動することにより、複数のローラ４０は結合軸３０とともに回転軸２０を中心に回動するように構成されている。【選択図】図３
2015104531.tif 000002
【特許請求の範囲】
【請求項１】
モータと、
軸方向の第１端部が上記モータに接続されている回転軸と、
該回転軸における軸方向の第２端部に複数設けられ、軸方向から見て上記回転軸を中心に等間隔に配置されて放射状に延びているとともに、上記回転軸に対して傾斜している結合軸と、
該結合軸の先端を覆うように設けられる複数のローラと、
を備え、
上記回転軸が回動することにより、上記複数のローラは上記結合軸とともに上記回転軸を中心に回動するように構成されていることを特徴とするマッサージ機。
【請求項２】
上記結合軸は、上記回転軸の第２端部に着脱可能に取り付けられた結合軸基台を介して上記回転軸の第２端部に取り付けられていることを特徴とする請求項１に記載のマッサージ機。
【発明の詳細な説明】
【技術分野】
【０００１】
本発明は、マッサージ機に関する。
【背景技術】
【０００２】
従来、回転軸の先端に回動可能に配設された複数のローラによって肌を押圧等するマッサージ機がある。例えば、特許文献１には、複数のローラが回転軸の先端に放射状に設けられた結合軸を介して設けられており、回転軸が回動することによってローラが回転軸を中心に回動運動する構成が開示されている。そして、かかる構成では、使用時に毛髪が回転軸や結合軸に絡むことを防止するために、当該マッサージ機のローラ側全体が布状のカバーによって覆われている。
【先行技術文献】
【特許文献】
【０００３】
【特許文献１】実用新案登録第３１７４８６４号
【発明の概要】
【発明が解決しようとする課題】
【０００４】
しかしながら、特許文献１に開示の構成では、ローラは円盤状であって、その中心の貫通孔に結合軸が挿入されて回動可能に配設されており、結合軸の先端はローラから突出している。そのため、ローラ表面の内、結合軸の先端が突出している側は肌に接触させることができない。これにより、ローラと肌との接触面積が充分に得られないため、ローラによる押圧効果が充分に得られないことから、マッサージ効果を充分に発揮させるためには改良の余地がある。
【０００５】
本発明は、かかる問題点に鑑みてなされたもので、充分なマッサージ効果が得られるマッサージ機を提供しようとするものである。
【課題を解決するための手段】
【０００６】
本発明の一態様は、モータと、
軸方向の第１端部が上記モータに接続されている回転軸と、
該回転軸における軸方向の第２端部に複数設けられ、軸方向から見て上記回転軸を中心に等間隔に配置されて放射状に延びているとともに、上記回転軸に対して傾斜している結合軸と、
該結合軸の先端を覆うように設けられる複数のローラと、
を備え、
上記回転軸が回動することにより、上記複数のローラは上記結合軸とともに上記回転軸を中心に回動するように構成されていることを特徴とするマッサージ機にある。
【発明の効果】
【０００７】
上記マッサージ機においては、結合軸の先端はローラによって覆われており、ローラから外側に突出していない。そのため、ローラの表面のより広い範囲を肌に接触させることができる。これにより、ローラによる押圧効果が向上することから、マッサージ効果が向上する。
【０００８】
さらに、上記結合軸は複数設けられ、それぞれの結合軸が上記回転軸に対して傾斜している。これにより、それぞれの結合軸の先端に配設されたローラの軸線が回転軸の軸線に対して傾斜することとなる。これにより、隣り合うローラとの間で肌の摘み上げ効果が高まり、マッサージ効果が向上する。
【０００９】
以上のごとく、本発明によれば、充分なマッサージ効果が得られるマッサージ機を提供することができる。
【図面の簡単な説明】
【００１０】
【図１】実施例１における、キャップを取り外した状態のマッサージ機の正面図。
【図２】実施例１における、キャップを取り外した状態のマッサージ機の上面図。
【図３】実施例１における、図１におけるIII-III線断面図。
【図４】実施例１における、マッサージ機の分解斜視図。
【図５】図３の一部拡大図。
【図６】実施例１における、スイッチボタン及びガイド部材の背面図。
【図７】変形例における、図１のIII-III線相当断面図。
【図８】実施例２における、マッサージ機の斜視図。
【図９】実施例２における、マッサージ機の分解斜視図。
【図１０】実施例２における、マッサージ機の上面図。
【図１１】実施例３における、マッサージ機の斜視図。
【図１２】実施例３における、マッサージ機の上面図。
【図１３】実施例３における、図１１におけるXIII-XIII線断面図。
【発明を実施するための形態】
【００１１】
上記結合軸と上記回転軸とのなす角が６０°〜９０°であることが好ましい。これにより、隣り合うローラとの間で適度な肌の摘み上げ効果が得られ、優れたマッサージ効果を奏する。また、使用時に肌と接触しているローラが結合軸を軸心としてスムーズに回転する。そのため、ローラが肌に接触している状態で往復移動させやすいことから、マッサージ効果が一層向上するとともに、操作性にも優れる。
【００１２】
軸方向から見たときの上記ローラの回動軌跡の外周の直径が４５〜６０ｍｍであって、上記ローラの直径が１５〜３０ｍｍであることが好ましい。これにより、比較的大きい複数のローラが互いに適度な距離を置いて配設されることとなるため、胴や太ももなどの比較的広い範囲に使用される場合において、ローラによる肌の摘み上げ量が過剰になったり不足したりせず、適度な摘み上げ効果と押圧効果が得られる。その結果、優れたマッサージ効果を奏する。
【００１３】
軸方向から見たときの上記ローラの回転軌跡の外周の直径が３０〜４５ｍｍであって、上記ローラの直径が７〜１５ｍｍであることが好ましい。これにより、比較的小さい複数のローラが互いに適度な距離を置いて配設されることとなるため、顔や首、腕などの比較的狭い範囲に使用される場合において、ローラによる肌の摘み上げ量が過剰になったり不足したりせず、適度な摘み上げ効果と押圧効果が得られる。その結果、優れたマッサージ効果を奏する。
【００１４】
隣接する上記ローラ間の距離が８〜１５ｍｍであることが好ましい。これにより、ローラによる肌の摘み上げ量が過剰になったり不足したりせず、適度な摘み上げ効果と押圧効果が得られる。
【００１５】
上記結合軸は、上記回転軸の第２端部に着脱可能に取り付けられた結合軸基台を介して上記回転軸の第２端部に取り付けられていることが好ましい。これにより、結合軸とこれに回動可能に配設されたローラが取り外し可能であるため、ローラ及び結合軸の洗浄が容易となり、当該マッサージ機を清潔な状態に保つことが容易となる。また、ローラ及び結合軸を他の新たなローラ及び結合軸に取り換えることが容易となる。
【実施例】
【００１６】
（実施例１）
本例の実施例に係るマッサージ機につき、図１〜図６を用いて説明する。
本例のマッサージ機１は、図３に示すように、モータ１０、回転軸２０、結合軸３０及びローラ４０を備える。
回転軸２０の軸方向Ｚの第１端部２０ａはモータ１０に接続されている。
結合軸３０は、回転軸２０における軸方向Ｚの第２端部２０ｂに複数（本例では３個）設けられている。そして、結合軸３０は、図２に示すように、軸方向Ｚから見て回転軸２０の軸心Ｃを中心に等間隔に配置されて放射状に延びている。そして、結合軸３０は回転軸３０に対して傾斜している。
ローラ４０は、結合軸３０の先端３０ｂを覆うように、結合軸３０にそれぞれ回動可能に配設されている。
マッサージ機１では、回転軸２０が回動することにより、複数のローラ４０が結合軸３０とともに回転軸２０を中心に回動するように構成されている。
なお、軸方向Ｚにおいて、回転軸２０の第２端部２０ｂから第１端部２０ａへ向かう方向を第１方向Ｚ１とし、反対方向を第２方向Ｚ２とする。
【００１７】
以下、本例のマッサージ機１について、詳述する。
図３、図４に示すように、モータ１０は、モータ本体１１とギアボックス１２とを備える。ギアボックス１２はシャフト１２ａを備える。ギアボックス１２はモータ本体１１に接続されており、モータ本体１１の回転力がシャフト１２ａに伝達される。ギアボックス１２の内部には複数のギア（図示せず）が備えられている。ギアの枚数や大きさは、モータ本体１１の回転力がシャフト１２ａに伝達される際に最適なトルクが得られるように適宜選択される。モータ１０は略円柱状に形成されており、モータ本体１１とギアボックス１２は、軸方向Ｚに沿って配列している。
【００１８】
図３、図４に示すように、モータ１０はモータ基台６１に取り付けられている。モータ基台６１には、その中央に円筒状のモータ保持部６１ａが形成されており、モータ保持部６１ａの周囲には電池保持部６１ｂが形成されている。電池保持部６１ｂには、電池金具６３とスプリング６４とが備えられており、これらが電池保持部６１ｂに保持される電池６５の一方の電極（本例では負極）と接触される。さらに、電池保持部６１ｂの外周側には、貫通孔６１ｃが３カ所形成されている。
【００１９】
モータ基台６１は、図３、図４に示すように、貫通孔６１ｃにハウジング６０の内部に形成されたボス６０ａが挿通されて、ハウジング６０の内部に配設されている。ハウジング６０は円筒状であって、軸方向Ｚの第１方向Ｚ１側から軸方向Ｚの第２方向Ｚ２側に向かって広がる形状を成している。そして、図２に示すように、ハウジング６０は軸方向Ｚから見ると、等間隔の３方向に緩やかに突出した略三角形状となっている。
【００２０】
ハウジング６０の第２方向Ｚ２側はハウジングカバー６２により覆われている。ハウジングカバー６２にはネジ孔６２ａが形成されている。ネジ６２ｂがネジ孔６２ａに挿通されて、ハウジング６０のボス６０ａに螺入されている。これにより、ハウジングカバー６２がハウジング６０の内部に固定されている。そして、モータ基台６１及びモータ１０はハウジング６０の内部に収納されている。
【００２１】
ハウジング６０の軸方向Ｚの第１方向Ｚ１側の端部には電池カバー７０が着脱可能に取り付けられている。電池カバー７０には、電極基台７２を介してネジ７３によって電極７１が取り付けられている。
【００２２】
ハウジング６０の軸方向Ｚの第１方向Ｚ１側から、ハウジング６０の内部に配設されたモータ基台６１の電池保持部６１ａに電池６５が挿入されて、電池カバー７０がハウジング６０の第１方向Ｚ１側に取り付けられる。
【００２３】
図３、図４に示すように、ハウジング６０の内部に収納されたモータ１０のシャフト１２ａには、ハウジングカバー６２の中央に設けられた孔６３を通じて、回転軸２０が取り付けられている。回転軸２０は、長さが２０．６５ｍｍのアルミ合金製である。回転軸２０の第１方向Ｚ１側の第１端部２０ａは断面Ｄ形の柱状を成している。回転軸２０の第２方向Ｚ２側の第２端部２０ｂは六角柱状を成している。回転軸２０の軸心部には軸心Ｃに沿ってシャフト１２ａが挿入される挿入孔２１が形成されている。また、回転軸２０の第１端部２０ａには、軸方向Ｚの法線方向に沿ってネジ孔２２が形成されている。ネジ孔２２にイモネジ２３が螺入されることによって、回転軸２０がシャフト１２ａに固定されている。
【００２４】
図３に示すように、回転軸２０の第２方向Ｚ２側の第２端部２０ｂには、結合軸基台３１が取り付けられている。結合軸基台３１の第１方向Ｚ１側には回転軸２０の第２端部２０ｂに接続される回転軸接続部３２が形成されており、第２方向Ｚ２側には結合軸３０が取り付けられる結合軸取付部３３が形成されている。
【００２５】
回転軸接続部３２は、回転軸２０の第２端部２０ｂの外形に沿う六角柱状の中空部を有しており、該中空部を形成する壁面の一部に、該中空部の内側に向かって突出する係合爪３２ａが形成されている。結合軸基台３１の回転軸接続部３２内に回転軸２０の第２端部２０ｂが収納されるとともに、係合爪３２ａが回転軸２０の第２端部２０ｂにおける第１方向Ｚ１側の縁部２０ｃに係合することにより、結合軸基台３１は、回転軸２０の第２端部２０ｂに着脱可能に取り付けられている。
【００２６】
図５に示すように、結合軸基台３１の結合軸取付部３３には、インサート成形によって結合軸３０の第１端部３０ａが埋入されている。結合軸３０はステンレス製の円柱状部材であって、その軸方向の長さは１９．２７ｍｍであり、その直径は４．０ｍｍである。第１端部３０ａには周方向に溝が形成されており、結合軸取付部３３からの抜けが防止されている。図２に示すように、３個の結合軸３０が、軸方向Ｚから見て、軸心Ｃを中心に等間隔に配置されている。すなわち、各結合軸３０の軸線Ｌにおいて互いのなす角αはいずれも１２０°になっている。また、図５に示すように、結合軸３０の軸線Ｌと軸心Ｃとのなす角βは、８０°である。これにより、結合軸３０は回転軸２０に対して傾斜しており、結合軸３０の先端（第２端部３０ｂ）は結合軸３０の基部（第１端部３０ａ）よりも、軸方向Ｚの第２方向Ｚ２側に位置している。なお、なす角βは、ローラ４０の直径やローラ４０の個数などにより、必要とされる肌への押圧効果と摘み上げ効果を考慮して適宜変更できる。例えば、なす角βは、６０°〜９０°とすることができる。
【００２７】
ローラ４０は、図１、図２に示すように、３個備えられている。図５に示すように、ローラ４０はローラブッシュ８０を介して各結合軸３０の第１端部３０ａと反対側の先端である第２端部３０ｂにそれぞれ取り付けられている。ローラ４０の直径は、１０〜１６ｍｍ、または１６〜２５ｍｍとすることができ、本例では２０．０ｍｍである。ローラ４０は結合軸３０の軸線Ｌに垂直な方向に二等分されてなる半球状の第１インナーローラ４１及び第２インナーローラ４２を備える。第１インナーローラ４１、第２インナーローラ４２はいずれもＡＢＳ樹脂製である。第１インナーローラ４１には、ローラ４０の中心を通って径方向に貫通する貫通孔４１ａが形成されている。貫通孔４１ａは第２インナーローラ４２側が拡径されて拡径部４１ｂが形成されている。これにより、貫通孔４１ａと拡径部４１ｂとの境界に段差部４１ｃが形成されている。
【００２８】
ローラブッシュ８０は、ＰＯＭ（ポリアセタール）樹脂製であって、略円筒形状を成している。図５に示すように、ローラブッシュ８０の側面の中間部には、外周側に突出する係合爪８１が形成されているとともに、一端側（軸心Ｃに近い側）には径方向外側に若干膨出している膨出部８２が形成されている。ローラブッシュ８０は、第１インナーローラ４１の貫通孔４１ａに差し込まれることにより、係合爪８１が第１インナーローラ４１の段差部４１ｃに係合される。さらに、ローラブッシュ８０の膨出部８２が貫通孔４１ａの外側縁部に引っかかることにより、ローラブッシュ８０が第１インナーローラ４１に係合固定される。
【００２９】
ローラブッシュ８０の円筒内部８３の内径は４．１ｍｍであって結合軸３０の外径よりもよりもごくわずかに大きい。また、ローラブッシュ８０の円筒軸方向の長さは１３．７５ｍｍであって結合軸３０の長さよりも短い。そのため、結合軸３０はローラブッシュ８０の円筒内部８３に容易に挿入されるとともに、結合軸３０の先端（第２端部３０ｂ）はローラブッシュ８０を貫通してローラブッシュ８０の外側に突出する。そして、結合軸３０の第２端部３０ｂに周方向に形成された溝にＣリング３５がはめ込まれることによって、結合軸３０が第１インナーローラ４１に係止されるとともに、ローラブッシュ８０が結合軸３０に摺動可能に取り付けられることとなる。
【００３０】
そして、球状となるように第１インナーローラ４１に第２インナーローラ４２が取り付けられる。第２インナーローラ４２の内側には凹部４２ａが形成されている。結合軸３０の第２端部３０ｂを当該凹部４２ａに入り込ませることにより、第２端部３０ｂが第２インナーローラ４２で覆われる。球状となった第１インナーローラ４１と第２インナーローラ４２とがアウターローラ４３によって被覆されてローラ４０が形成される。このようにして、結合軸３０の先端（第２端部３０ｂ）は、ローラ４０によって覆われている。さらに、ローラ４０はローラブッシュ８０を介して結合軸３０に回動可能に取り付けられている。そして、回転軸２０が軸回転することにより、ローラ４０は結合軸基台３１とともに軸心Ｃを中心に軸回転する。なお、ローラ４０の表面にはクロムメッキが施されている。
図２に示す隣接するローラ間の距離ｗは、８〜１５ｍｍとすることができ、本例では、１０ｍｍである。
【００３１】
図３に示すように、結合軸基台３１の結合軸取付部３３には、ポリプロピレン樹脂製のカバー部材５０が取り付けられている。カバー部材５０は中央部５１、延設部５２及び取付脚部５３を有する。中央部５１は回転軸２０を軸方向Ｚから結合軸３０近傍まで覆っている。延設部５２は中央部５１から隣り合う結合軸３０及びローラ４０の間に延設されている。そして、延設部５２は中央部５１から離れるにつれてモータ１０側に近づくように形成されている。
【００３２】
カバー部材５０の取付脚部５３は、カバー部材５０の内面（ハウジングカバー６２に対向する面）に３個形成されている。取付脚部５３の先端には係合爪５３ａが形成されている。結合軸取付部３３の外周面には係合溝３４が３カ所形成されている。図２に示すように、結合軸取付部３３の係合溝３４は、軸方向Ｚから見て結合軸３０の間にそれぞれ形成されている。係合爪５３ａが係合溝３４に係合することにより、カバー部材５０は、結合軸取付部３３に着脱可能に取り付けられている。
【００３３】
図２に示すように、軸方向Ｚからみてローラ４０の間に位置するカバー部材５０の外縁部５２ａは、軸心Ｃを中心とする直径４４．０ｍｍの仮想円（図示せず）に沿っており、それ以外の部分に位置するカバー部材５０の外縁部５２ｂは、それぞれのローラ４０の表面に沿うように切りかかれている。本例では、延設部５２は、中央部５１からモータ１０側に向かって湾曲して、外縁部５２ａの近傍ではハウジングカバー６２に略平行となっている。このように、カバー部材５０によってローラ４０のハウジング６０側の一部が覆われているが、ローラ４０の表面の半分以上がカバー部材５０によって覆われておらず、露出している。
【００３４】
図１に示すように、ハウジング６０の正面略中央には、スイッチボタン９０が設けられている。スイッチボタン９０は、図３、図４に示すスイッチ基板９１に実装されたスライドスイッチ９１ａに連結されている。スイッチ基板９１はモータ１０に電気的に接続されている。スイッチボタン９０が第１方向Ｚ１側にスライドされると、モータ１０のシャフト１２ａが正方向に回転し、スイッチボタン９０が第２方向Ｚ２側にスライドされると、シャフト１２ａが逆方向に回転する。スイッチボタン９０が中央位置（停止位置）に戻されるとモータ１０が停止する。このように、スイッチボタン９０によってモータ１０のオン／オフと回転方向とが制御される。
【００３５】
図３に示すように、スイッチボタン９０の裏面側には、ガイド部材９２が備えられている。ガイド部材９２は樹脂製の枠状部材であって、図６に示すように、スイッチボタン９０のスライド方向（軸方向Ｚ）に沿う長辺部９２ａとスライド方向に直交する短辺部９２ｂとを有する。対向する長辺部９２ａの対向面にはそれぞれ所定間隔をあけて設けられた一対のガイド突起９２ｃが形成されている。一方、スイッチボタン９０の裏面には、スライドスイッチ９１ａに連結される連結部９３が突出形成されている。連結部９３は対向する長辺部９２ａの間に位置しており、連結部９３の側面（長辺部９２ａに対向する面）には長辺部９２ａ側に突出するスライド突起９３ａが形成されている。
【００３６】
スイッチボタン９０が停止位置にある場合は、スライド突起９３ａは一対の突起９２ｃの間に位置している。スイッチボタン９０を軸方向Ｚのいずれか一方にスライドしようとすると、スライド突起９３ａとガイド突起９２ｃとが干渉する。そして、スライド突起９３ａがガイド突起９２ｃを乗り越えるとスイッチボタン９０がスライドされる。これにより、スイッチボタン９０がスライドされる際に適度な抵抗を生じさせるため、スイッチボタン９０に軽く物が触れた場合にスイッチボタン９０がスライドされて、不意にモータ１０がオンまたはオフされることが防止される。また、スイッチボタン９０がガイド突起９２ｃを乗り越えることによってスイッチボタン９０をスライドさせる際にクリック感を生じさせることができ、操作感が向上される。
【００３７】
図１〜図３に示すように、ハウジング６０のローラ４０側の端部には、リブ６６が立設されている。リブ６６は、ハウジングカバー６２よりも第２方向Ｚ２側（ハウジング６０から見てローラ４０側）に向かって突出している。リブ６６は、図２に示すように、軸方向Ｚから見てローラ４０の回動軌跡Ｒを囲むように形成されている。回動軌跡Ｒの外周の直径は４５〜６０ｍｍとすることができ、本例では５４．０ｍｍである。そして、ハウジング６０のローラ４０側の端部の外周全域に形成されている。そして、図１、図３に示すように、リブ６６の先端６７は周方向に沿って軸方向Ｚに波打つ形状を呈している。
【００３８】
そして、図２に示すように、軸方向Ｚから見てリブ６６の外形は等間隔の３方向に緩やかに突出した略三角形状を成しており、リブ６６は軸方向Ｚから見たときにリブ６６の輪郭線６７ａとローラ４０の回動軌跡Ｒとの距離ｄが周方向において変化する形状を呈している。リブ６６の略三角形状の頂点に相当する三つの位置（離隔部）６６ａでは回動軌跡Ｒからの距離ｄが最も大きく、図１、図３に示すように、リブ６６の突出量ｈも最も大きい。離隔部６６ａの突出量（高さ）ｈは１４．０ｍｍである。一方、リブ６６ローラ４０の回動軌跡Ｒからの距離ｄが最も小さい三つの位置（近接部）６６ｂでは、軸方向Ｚへの突出量（高さｈ）が、図１、図３に示すように、最も小さくなっている。近接部６６ｂの高さｈは７．０ｍｍである。すなわち、リブ６６の突出量ｈの範囲は、７．０〜１４．０ｍｍとなっている。なお、リブ６６の突出量ｈは、ローラ４０の大きさや、結合軸３０同士のなす角の大きさや、軸方向Ｚから見たときのハウジング６０の形状等を考慮して適宜調整することができる。
【００３９】
図４に示すように、ローラ４０の第２方向Ｚ２側には、ローラ４０を覆うキャップ９５が設けられている。キャップ９５には、第１方向Ｚ１側に突出形成されたキャップ突起９５ａが備えられている。キャップ９５は、キャップ突起９５ａを介してハウジング６０に係合されることにより、ハウジング６０に着脱可能に取り付けられている。
【００４０】
次に、本例のマッサージ機１における作用効果について、詳述する。
マッサージ機１では、結合軸３０の先端（第２端部３０ｂ）はローラ４０によって覆われており、ローラ４０から外側に突出していない。そのため、ローラ４０の表面のより広い範囲を肌に接触させることができる。これにより、ローラ４０による押圧効果を向上することができる。
【００４１】
また、結合軸３０は複数（本例では３個）設けられ、それぞれの結合軸３０が回転軸２０に対して傾斜している。これにより、それぞれの結合軸３０の先端３０ｂに回動可能に配設されたローラ４０の軸線Ｌが回転軸２０の軸線Ｃに対して傾斜することとなるため、隣り合うローラ４０との間で肌の摘み上げ効果が高まり、マッサージ効果が一層向上する。
【００４２】
また、カバー部材５０は複数のローラ４０の間に設けられているため、カバー部材５０がローラ４０と肌との間に介在することがない。その結果、カバー部材５０によって毛髪が回転軸２０及び結合軸３０に絡まることが防止されるとともに、複数のローラ４０が肌に直接接触することによって、ローラ４０による肌の摘み上げ効果が向上する。毛髪が結合軸３０に絡まることが防止されるため、顔や首等の毛髪に近い部位に好適に使用される。
【００４３】
また、カバー部材５０は回転軸２０を軸方向Ｚから結合軸３０近傍まで覆う中央部５１と、中央部５１から隣り合う結合軸３０及びローラ４０の間に延設された延設部５２とを備え、延設部５２は中央部５１から離れるにつれてモータ１０側に近づくように形成されている。これにより、カバー部材５０によって、ローラ４０の表出領域が広く確保されるため、ローラ４０と肌との接触面積をより大きくすることができ、マッサージ効果が一層向上する。
【００４４】
また、結合軸３０は結合軸基台３１を介して回転軸２０の第２端部２０ｂに取り付けられているとともに、結合軸基台３１は回転軸２０の第２端部２０ｂに着脱可能に取り付けられている。そして、カバー部材５０は結合軸基台３１に着脱可能に取り付けられている。これにより、カバー部材５０は取り外し可能であるとともに、結合軸３０及びローラ４０も取り外し可能であるため、カバー部材５０、結合軸３０及びローラ４０を細部にわたって容易に洗浄することができ、マッサージ機１を清潔な状態に保つことが容易となる。また、カバー部材５０、結合軸３０及びローラ４０を他の新たなカバー部材、結合軸及びローラと取り換えることが容易となる。
【００４５】
モータ１０はハウジング６０に収納されており、該ハウジング６０のローラ４０側の端部には複数のローラ４０の回動軌跡Ｒを囲むように突出するリブ６６が備えられているとともに、該リブ６６の先端６７は周方向に沿って軸方向Ｚに波打つ形状を呈している。これにより、万が一、ローラ４０とカバー部材５０との隙間に毛髪が入り込んで回転軸２０や結合軸３０に絡まりそうになった場合でも、ローラ４０の回動に伴って、当該毛髪が軸方向Ｚに波打つリブ６６に沿って、径方向外側に押し出され易くなる。これにより、毛髪が回転軸２０や結合軸３０に絡まることが一層防止される。
【００４６】
また、リブ６６は軸方向Ｚから見たときにリブ６６の輪郭線６７ａとローラ４０の回動軌跡Ｒとの距離ｄが周方向において変化する形状を呈しており、該距離ｄが最も大きい位置（離隔部６６ａ）のリブ６６の突出量ｈが最も大きい。回動軌跡Ｒから最も離隔した離隔部６６ａではカバー部材５０とハウジング６０との隙間に毛髪が入り込みやすいが、かかる位置においてリブ６６の突出量ｈが最も大きいため、当該隙間に毛髪が入り込むことが効果的に防止され、毛髪が回転軸２０や結合軸３０に絡まることが一層防止される
【００４７】
また、ローラ４０は回転軸２０を中心に等間隔に３個備えられている。これにより、各ローラ４０の大きさを十分大きくすることができるとともに、各ローラ４０が肌に対して適度なバランスで接触することとなるため、マッサージ効果を一層向上することができる。
【００４８】
また、軸方向Ｚから見たときのローラ４０の回動軌跡Ｒの外周の直径が５４．０ｍｍであって、ローラ４０の直径が２０ｍｍである。これにより、比較的大きい複数のローラ４０が互いに適度な距離を置いて配設されることとなるため、胴や太ももなどの比較的広い範囲に使用される場合において、ローラ４０による肌の摘み上げ量が過剰になったり不足したりせず、適度な摘み上げ効果と押圧効果が得られる。その結果、優れたマッサージ効果を奏する。
【００４９】
また、隣接するローラ４０間の距離ｗが１０ｍｍとなっている。これにより、ローラ４０による肌の摘み上げ量が過剰になったり不足したりせず、適度な摘み上げ効果と押圧効果が得られる。
【００５０】
なお、スイッチボタン９０として、スライドスイッチ９１ａによるスライド式のものを採用したが、これに替えてマイコン制御によるプッシュボタン式のものを採用してもよい。
【００５１】
また、本例のカバー部材５０は、延設部５２が中央部５１からモータ１０側に湾曲して、外縁部５２ａの近傍ではハウジングカバー６２に沿って略平行となる程度に、モータ１０側に十分近づけられている。これによって、ローラ４０の表面の広い範囲が露出されることからローラ４０と肌との接触面積を広く確保することができ、押圧効果が向上するとともに、毛髪が回転軸２０や結合軸３０に絡まることが一層防止される。
【００５２】
なお、カバー部５０（図３）に替えて、図７に示すように、延設部５２０が中央部５１０から延設部５２０の外縁部５２０ａに向かってモータ１０と反対側に緩やかに湾曲しているカバー部材５００が使用されてもよい。この場合には、本例に比べて、ローラ４０の表面の露出面積が少なくなるが、ローラ４０の大きさや、結合軸３０同士のなす角などが適宜調整されることによって、ローラ４０と肌との接触面積を十分確保できる場合には、本例と同等の作用効果を奏する。
【００５３】
ローラ４０の形状は、球形の他に、楕円球形、これらの形状を組み合わせた形状を採用してもよい。また、ローラ４０の表面に、種々の形状による凹凸や突起を設けてもよい。また、ローラ４０はそれぞれ単一の部材から構成されていてもよいし、２以上の部材を組み合わせて構成されていてもよい。また、複数備えられるローラ４０の内、一部が他のローラ４０と異なる形態であってもよい。
【００５４】
電池保持部６１ｂには３個の電池６５がいずれも負極側から挿入されて電気的に接続される。これにより、使用される電池６５がすべて同じ向きに挿入されることとなるため、電池６５の挿入向きの間違えを抑制できる。
【００５５】
本例では、モータ１０の駆動電源として電池を使用したが、これに替えて、充電可能なバッテリを備えることとしてもよい。また、当該駆動電源として太陽電池を使用してもよい。また、家庭用コンセントから電力が供給されるようにしてもよい。
【００５６】
以上のごとく、本例によれば、十分なマッサージ効果が得られるマッサージ機１が提供される。
【００５７】
（実施例２）
本例の他の実施例に係るマッサージ機につき、図８〜図１０を用いて説明する。
なお、実施例１と同等の部材には同一の符号を付してその説明を省略する。
本例のマッサージ機１００は、図８、図９に示すように、実施例１のハウジング６０に比べて、軸方向Ｚに細長いハウジング６００を備える。ハウジング６００は、電池６５が収納される第１ハウジング６０１とモータ１０が収納される第２ハウジング６０２と、第１ハウジング６０１と第２ハウジング６０２との間に備えられるリング部材６０３を備える。
【００５８】
モータ１０は、図９に示すように、モータ基台６１０に保持された状態で第２ハウジング６０２に収納されている。モータ１０のシャフト１２０ａは、軸方向Ｚから見て十字形状を成している。そして、シャフト１２０ａには、アダプタ１３を介して回転軸２０の一端側（第１方向Ｚ１側）の端部２０ａが取り付けられている。なお、モータ基台６１０には、モータ１０への通電用の接続金具６１１が備えられている。
【００５９】
ハウジング６００の軸方向Ｚの第１方向Ｚ１の端部には、スイッチ９００が設けられている。スイッチ９００は回転式のスライドスイッチである。リード７１１、７１２はモータ基台６１０の接続金具６１１に電気的に接続されている。そして、リード７１１は接点基台９０１に接続されており、リード７１２は接点カバー９０２に接続されている。接点基台９０１は接点カバー９０２内に収納されているとともに、トラスネジ９０３によって第２ハウジング６０１の端部の取付部６０１ａに回動可能に取り付けられている。そして、スイッチハウジング９０４によって接点カバー９０２が覆われている。接点カバー９０２とスイッチハウジング９０４との間には、図示しないクリックばねと球によって形成されたクリック機構が設けられている。スイッチハウジング９０４が周方向に所定量スライドされて、接点基台９０１が接点カバー９０２に対して相対的に所定量回動されることにより、電池６５とモータ１０とが通電状態又は非通電状態となって、モータ１０のオン／オフが制御される。
【００６０】
図９に示すように、回転軸２０の第２方向Ｚ２側の端部２０ｂには、結合軸基台３１０が取り付けられている。結合軸基台３１０は、回転軸２０の端部２０ｂ側に突出する接続突起３１０ａを有している。突起３１０ａが回転軸２０の端部２０ｂに形成された接続孔２１０に嵌入されて、結合軸基台３１０が回転軸２０の端部２０ｂに固定されている。
【００６１】
そして、結合軸基台３１０を介して、３個の結合軸３００が回転軸２０の端部２０ｂに設けられている。図９、図１０に示すように、結合軸３００の一端側の第１端部３００ａは拡径している。そして、結合軸基台３１０と回転軸２０の端部２０ｂとの間には、結合軸３００の第１端部３００ａの外形よりも若干大きい凹部（図示せず）が形成されている。該凹部に結合軸３００の第１端部３００ａが収容されることにより、結合軸３００が結合軸基台３１０に対して回動可能に配設されている。
【００６２】
結合軸３００の第１端部３００ａとは反対側の第２端部３００ｂにはローラ４００が取り付けられている。ローラ４００には、結合軸３００の第２端部３００ｂが嵌入する凹部４００ａが形成されている。凹部４００ａに結合軸３００の第２端部３００ｂが圧入されている。そして、図１０に示すように、結合軸３００とローラ４００との間にはベアリングスペーサ３０１が介在している。これにより、結合軸３００の第２端部３００ｂにローラ４００が固定されている。このようにして、ローラ４００は結合軸３００とともに回転軸２０の端部２０ｂに回動可能に配設されている。そして、軸方向Ｚから見てローラ４００はハウジング６００の外周よりも外側に突出している。
【００６３】
図１０に示すように、軸方向Ｚから見たときのローラ４００の回転軌跡Ｒの外周の直径は３０〜４５ｍｍとすることができ、本例では４１．５ｍｍである。そして、ローラ４００の直径は７〜１５ｍｍとすることができ、本例では１４ｍｍである。これにより、比較的小さい複数のローラ４００が互いに適度な距離を置いて配設されることとなるため、顔や首、腕などの比較的狭い範囲に使用される場合において、ローラ４００による肌の摘み上げ量が過剰になったり不足したりせず、適度な摘み上げ効果と押圧効果が得られる。その結果、優れたマッサージ効果を奏する。その他、本例のマッサージ機１００によっても、実施例１の場合と同等の作用効果を奏する。
【００６４】
（実施例３）
本例のさらに他の実施例に係るマッサージ機につき、図１１、図１２を用いて説明する。なお、実施例１、実施例２と同等の部材には同一の符号を付してその説明を省略する。
【００６５】
本例のマッサージ機２００は、図１１、図１２に示すように、スリーブ６５０を備える。スリーブ６５０は円筒状であって、第２ハウジング６０２の外周に設けられている。スリーブ６５０の軸方向Ｚの第２方向Ｚ２側の端部には、軸方向Ｚの第２方向Ｚ２側に突出するリブ６６０が形成されている。リブ６６０は、軸方向Ｚの第１方向Ｚ１から第２方向Ｚ２に向かって広がるように形成されている。
【００６６】
さらに、図１１、図１２に示すように、マッサージ機２００はカバー部材５５０を備える。カバー部材５５０は、中央部５５１、延設部５５２及び取付脚部５５３を備える。中央部５５１は回転軸２０を軸方向Ｚから結合軸３５０近傍まで覆っている。延設部５５２は中央部５５１から隣り合う結合軸３５０及びローラ４５０の間に延設されている。そして、延設部５５２は中央部５５１から離れるにつれてモータ１０側に近づくように形成されている。さらに、延設部５５２の外縁５５２ａは、リブ６６０の内側に入り込んでいる。
【００６７】
本例では、図１３に示すように、結合軸３５０の第１端部３５０ａは結合軸基台３６０にインサートされている。結合軸３５０の第１端部３５０ａと反対側の第２端部３５０ｂにはローラ４５０が取り付けられている。ローラ４５０は、ローラ本体４５１とローラキャップ４５２とからなる。ローラ本体４５１は、その中心を通る孔４５０ａを有する。さらに、ローラ本体４５１の内側では、孔４５０ａは拡径されて中空部４５０ｂが形成されている。そして、孔４５０ａと反対側には、凹部４５０ｃが形成されている。凹部４５０ｃの底部には孔４５０ｄが形成されており、孔４５０ａ、中空部４５０ｂ及び孔４５０ｄが連通して貫通されている。孔４５０ａ、４５０ｄの径は、結合軸３５０の軸径よりも若干大きく、中空部４５０ｂの内径は結合軸３５０の軸径よりも充分大きい。
【００６８】
結合軸３５０はローラ本体４５１の孔４５０ａ、中空部４５０ｂ及び孔４５０ｄに挿通されており、結合軸３５０の第２端部３５０ｂが凹部４５０ｃ内に位置している。結合軸３５０の第２端部３５０ｂの外周には凹部が形成されている。当該凹部にＥリング３５１がはめ込まれることにより、ローラ本体４５１は結合軸３５０に回動可能に配設されている。凹部４５０ｃにはローラキャップ４５２が圧入されている。これにより、結合軸３５０の第２端部３５０ｂが覆われるとともに、ローラキャップ４５２の外周面とローラ本体４５１の外周面とが面一となって球形状のローラ４５０が形成されている。このようにして、ローラ４５０が結合軸３５０に回動可能に配設されている。なお、ローラ４５０の大きさ及び配置は実施例２のローラ４００（図１０）と同一である。
【００６９】
本例では、ローラ本体４５１に中空部４５０ｂが形成されていることにより、ローラ本体４５１は結合軸３５０との接触面積が低減されているため、両者の接触抵抗が低減される。その結果、ローラ４５０は結合軸３５０を軸心として容易に回動可能となっている。
なお、ローラ本体４５１と結合軸３５０との間に潤滑剤を介在させてもよい。これによっても、ローラ４５０が容易に回動可能になる。
【００７０】
なお、本例では、モータ１０を制御するスイッチとしてスライドスイッチ９５０が備えられている。スライドスイッチ９５０は、実施例１のスライドスイッチ９０と同等の構成を有している。
【００７１】
本例のマッサージ機２００によっても、実施例１、２の場合と同様の作用効果を奏する。
【符号の説明】
【００７２】
１、１００、２００  マッサージ機
１０  モータ
２０  回転軸
３０、３００、３５０  結合軸
３１、３１０、３６０  結合軸基台
４０、４００、４５０  ローラ
５０、５００、５５０  カバー部
６０、６００  ハウジング
８０  ローラブッシュ
９０、９００、９５０  スイッチボタン
【図１】
2015104531.tif 000003
【図２】
2015104531.tif 000004
【図３】
2015104531.tif 000005
【図４】
2015104531.tif 000006
【図５】
2015104531.tif 000007
【図６】
2015104531.tif 000008
【図７】
2015104531.tif 000009
【図８】
2015104531.tif 000010
【図９】
2015104531.tif 000011
【図１０】
2015104531.tif 000012
【図１１】
2015104531.tif 000013
【図１２】
2015104531.tif 000014
【図１３】
2015104531.tif 000015